(57)【特許請求の範囲】
【請求項１】
車両のエンジンの始動を許可或いは禁止するエンジン始動制御装置において、
ドアロックが解除されないまま予め定めた規定時間に達したとき、エンジンの始動に必要な条件を厳しくする制御手段を備え、
前記制御手段は、前記規定時間に達する前のエンジンの始動に必要な通常照合の成立に加え、新たな照合の成立をエンジンの始動に必要な条件とすることで当該条件を厳しくする
ことを特徴とするエンジン始動制御装置。
【請求項２】
前記新たな照合は免許証の照合である
請求項１に記載のエンジン始動制御装置。
【請求項３】
請求項１又は２に記載のエンジン始動制御装置において、
前記規定時間に達したときのエンジンの始動に必要な対処方法を教示する報知手段を備えた
ことを特徴とするエンジン始動制御装置。
【発明の詳細な説明】
【技術分野】
【０００１】
本発明は、車両のエンジンの始動を許可或いは禁止するエンジン始動制御装置に関する。
【背景技術】
【０００２】
特許文献１には、車室内に通信エリアを形成し、このエリアに携帯機を所持したユーザが進入すると、車両と携帯機との間で無線通信が行われ、当該通信を通じてエンジンの始動を許可或いは禁止するエンジン始動制御装置について開示されている。
【０００３】
この装置の適用された車両のオーナ（ユーザ）は、自車に適合する携帯機（車両キー）を所持することで、電気的なドアロックの解除を伴って車室内への進入（乗車）が許可される他、車室内においてはエンジンの始動が許可され、運転席のエンジンスイッチを例えば押圧するだけで簡単にエンジンを始動できるようになる。これにより、同装置はユーザにとって利便性の高いものとなっている。
【先行技術文献】
【特許文献】
【０００４】
【特許文献１】特開２００７−１７０１６２号公報
【発明の概要】
【発明が解決しようとする課題】
【０００５】
長期間車両を駐車させた場合、盗難のリスクが高まるため、エンジンを始動しづらくする必要がある。
本発明は、このような問題点に着目してなされたものであって、その目的は、セキュリティの向上を可能にしたエンジン始動制御装置を提供することにある。
【課題を解決するための手段】
【０００６】
上記課題を解決するエンジン始動制御装置は、車両のエンジンの始動を許可或いは禁止するエンジン始動制御装置において、ドアロックが解除されないまま予め定めた規定時間に達したとき、エンジンの始動に必要な条件を厳しくする制御手段を備えたことをその要旨としている。
【０００７】
この構成によれば、長期間車両を駐車させた場合は、エンジンの始動に必要な条件が厳しくなる。車両を長期間駐車させると盗難のリスクは高くなるが、エンジンの始動に必要な条件を厳しくすることで、自ずと第三者によるエンジンの始動は困難になる。したがって、セキュリティを向上させ、車両の盗難を確実に防止することができる。
【０００８】
上記エンジン始動制御装置について、前記制御手段は、複数の照合の成立をエンジンの始動に必要な条件とすることで当該条件を厳しくすることとしてもよい。
この構成によれば、長期間車両を駐車させた場合は、複数の照合の成立が要求される。したがって、単一の照合を経てエンジンの始動を許可するよりもセキュリティを向上できる。
【０００９】
上記エンジン始動制御装置について、前記制御手段は、前記規定時間に達する前のエンジンの始動に必要な通常照合の成立に加え、新たな照合の成立をエンジンの始動に必要な条件とすることで当該条件を厳しくすることとしてもよい。
【００１０】
この構成によれば、長期間車両を駐車させた場合は、通常照合の成立に加え、新たな照合の成立が要求される。したがって、通常照合のみを経てエンジンの始動を許可するよりもセキュリティを向上できる。
【００１１】
上記エンジン始動制御装置について、前記新たな照合は免許証の照合であることとしてもよい。
この構成によれば、長期間車両を駐車させた場合は、通常照合の成立に加え、免許証の照合の成立が要求される。したがって、規定時間の経過後には、通常照合に必要な車両キーの他、車両オーナの免許証を所持する者、つまり車両オーナのみがエンジンを始動できることになるため、セキュリティが向上する。
【００１２】
上記エンジン始動制御装置について、前記規定時間に達したときのエンジンの始動に必要な対処方法を教示する報知手段を備えたこととしてもよい。
この構成によれば、報知手段による対処方法に倣い、適切にエンジンを始動できるようになる。
【発明の効果】
【００１３】
本発明によれば、車両の盗難を確実に防止することができる。
【図面の簡単な説明】
【００１４】
【図１】電子キーシステムを示す概念図。
【図２】エンジン始動制御装置を示すブロック図。
【図３】エンジン始動制御装置の作用について、（ａ）は前提となる長期間の車両放置を示す概念図、（ｂ）は比較例を示すブロック図、（ｃ）は実施例を示すブロック図。
【発明を実施するための形態】
【００１５】
以下、エンジン始動制御装置の一実施の形態について説明する。
図１に示すように、電子キーシステム１は、車両２と電子キー３との間で双方向の無線通信が行われ、当該通信を通じて車両２の動作が許可或いは禁止される。
【００１６】
上記通信はスマート通信とも呼ばれ、このスマート通信では、車両２から呼び掛け信号（図示略）が発信されることで車両２の周辺に通信エリアが形成され、このエリアに電子キー３を所持したユーザが進入すると、電子キー３から応答信号（図示略）が返信される。電子キー３からの応答信号には、電子キー３に固有のＩＤ（identification）が含まれる。車両２は、応答信号を受信すると、その信号を解析し、車両２に登録された基準ＩＤと照合一致するＩＤの取得を条件に、車両２の動作を許可する。ここで、車両２は、車外の通信エリアに呼び掛け信号を送信してＩＤが照合一致したことを条件に、ドアの施解錠を許可し、車室内の通信エリアに呼び掛け信号を送信してＩＤが照合一致したことを条件に、エンジンの始動を許可する。
【００１７】
図２に示すように、車両２は、ユーザが車両キーとして所持する電子キー３を対象にＩＤの照合を行うとともに、ユーザが所持する免許証４を対象に顔情報の照合を行う照合ＥＣＵ（electronic control unit ）５を備える。つまり、照合ＥＣＵ５は、呼び掛け信号を送信する送信回路部及び応答信号を受信する受信回路部の他、免許証４から顔情報を取得するデータ読取部と、電子キー３の照合に加え免許証４の照合を行う制御回路部とを含む総称である。照合ＥＣＵ５には、基準ＩＤの他、車両オーナの顔情報が登録されている。
【００１８】
照合ＥＣＵ５は、車外のＩＤ照合を経てドアロック制御を行うとともに、ドアロックの解除されていない施錠期間に応じたエンジン始動制御６を行う。詳述すると、照合ＥＣＵ５は、連続する施錠期間が予め定めた規定時間（例えば、１週間）に達する前には、車室内のＩＤ照合のみを経てエンジンの始動を許可する。尚、車室内のＩＤ照合を通常照合と規定する。一方、照合ＥＣＵ５は、連続する施錠期間が規定時間に達したとき、通常照合に加え免許証４の照合を経てエンジンの始動を許可する。照合ＥＣＵ５は制御手段に相当する。
【００１９】
次に、エンジン始動制御装置の作用について説明する。
図３（ａ）に示すように、長期間に亘って車両２を駐車させた場合を想定する。
図３（ｂ）に示すように、本例に対する比較例では、ドアロックが解除されないまま規定時間に達したとき、規定時間に達する前と同様、照合ＥＣＵ５Ａによる電子キー３Ａの照合のみを経てエンジン始動制御６Ａが行われる。
【００２０】
図３（ｃ）に示すように、本実施例では、ドアロックが解除されないまま規定時間に達したとき、照合ＥＣＵ５による電子キー３の照合に加え免許証４の照合を経てエンジン始動制御６が行われる。
【００２１】
以上説明したように、本実施の形態によれば、以下の効果を奏することができる。
（１）長期間車両２を駐車させた場合は、エンジンの始動に必要な条件が厳しくなる。車両２を長期間駐車させると盗難のリスクは高くなるが、エンジンの始動に必要な条件を厳しくすることで、自ずと第三者によるエンジンの始動は困難になる。したがって、セキュリティを向上させ、車両２の盗難を確実に防止することができる。
【００２２】
（２）長期間車両２を駐車させた場合は、複数の照合の成立が要求される。したがって、単一の照合を経てエンジンの始動を許可するよりもセキュリティを向上できる。
（３）長期間車両２を駐車させた場合は、通常照合の成立に加え、新たな照合の成立が要求される。したがって、通常照合のみを経てエンジンの始動を許可するよりもセキュリティを向上できる。
【００２３】
（４）長期間車両２を駐車させた場合は、通常照合の成立に加え、免許証４の照合の成立が要求される。したがって、規定時間の経過後には、通常照合に必要な電子キー３の他、車両オーナの免許証４を所持する者、つまり車両オーナのみがエンジンを始動できることになるため、セキュリティが向上する。
【００２４】
尚、上記実施の形態は、次のように変更して具体化することも可能である。
・照合ＥＣＵ５には、ＩＣ（integrated circuit）免許証から情報を読み取るリーダが含まれていてもよい。
【００２５】
・照合ＥＣＵ５には、免許証４を撮像するカメラが含まれていてもよい。
・免許証４の照合は、顔情報の照合に限らず、免許証４に書き込まれた他の情報の照合であってもよい。
【００２６】
・免許証４の照合に代えて又は加えて、生体認証を採用してもよい。或いは、カーナビゲーションシステムを用いたパスワードの照合を採用してもよい。
・通常照合が免許証４の照合である場合において、規定時間の経過後には、免許証４の照合に加え電子キー３の照合を要求してもよい。
【００２７】
・通常照合が単一の照合である場合において、規定時間の経過後には、３つ以上の照合を要求してもよい。
・通常照合が２つ以上の照合である場合において、規定時間の経過後には、３つ以上の照合を要求してもよい。
【００２８】
・図２に破線で示すように、規定時間に達したときのエンジンの始動に必要な対処方法を教示する報知手段７を備えてもよい。この構成によれば、報知手段７による対処方法に倣い、適切にエンジンを始動できるようになる。例えば、「ＩＣ免許証をリーダに翳して下さい。」、「ＩＣ免許証をスロットに挿入して下さい。」、「免許証をカメラに向けて下さい。」といったメッセージを表示又は音声で知らせてもよい。
【００２９】
・規定時間は１週間に限定されない。セキュリティ性と利便性を考慮しつつ任意に設定してもよい。
・規定時間をユーザが変更できるようにしてもよい。
【符号の説明】
【００３０】
１…電子キーシステム、２…車両、３…電子キー、４…免許証、５…照合ＥＣＵ（制御手段）、６…エンジン始動制御、７…報知手段。
【図１】
0006280863.tif 000002
【図２】
0006280863.tif 000003
【図３】
0006280863.tif 000004